(57)【要約】      （修正有）【課題】シェルと玩具とを含む環境に優しいタンブラーガチャを提供する。【解決手段】タンブラーガチャは、シェル１、２と玩具４とを含み、ウェイトモジュール３をさらに含む。シェル内部には、空洞を有し、ウェイトモジュールは、シェルの空洞の底部に配置され、玩具の数は、少なくとも一つである。玩具は、シェルの空洞内に取り外し可能に設置され、異なる玩具は、シェルに接続されて、シェルと様々な構造を組み合わせることができる。【選択図】図３
0003232499.tif 000002
【実用新案登録請求の範囲】
【請求項１】
シェルと玩具（４）とを含む環境に優しいタンブラーガチャであって、
ウェイトモジュール（３）をさらに含み、前記シェル内部には、空洞を有し、前記ウェイトモジュール（３）は、前記シェルの空洞の底部に配置され、前記玩具（４）の数は、少なくとも一つであり、前記玩具（４）は、前記シェルの空洞内に取り外し可能に設置され、異なる前記玩具（４）は、前記シェルに接続されて、前記シェルと様々な構造を組み合わせることができる、ことを特徴とする前記環境に優しいタンブラーガチャ。
【請求項２】
前記シェルは、第１のシェル（１）と第２のシェル（２）とを含み、前記第１のシェル（１）と前記第２のシェル（２）とは、取り外し可能に接続されることを特徴とする請求項１に記載の環境に優しいタンブラーガチャ。
【請求項３】
前記ウェイトモジュール（３）は、前記第２のシェル（２）の空洞の底部に配置されることを特徴とする請求項２に記載の環境に優しいタンブラーガチャ。
【請求項４】
固定シート（５）をさらに含み、前記固定シート（５）は、円錐台の形状であることを特徴とする請求項３に記載の環境に優しいタンブラーガチャ。
【請求項５】
前記固定シート（５）の上部の底面には、一つの凹状の円弧面を備えることを特徴とする請求項４に記載の環境に優しいタンブラーガチャ。
【請求項６】
第１の接続部（６）をさらに含み、前記玩具（４）は、前記第１の接続部（６）を介して前記第１のシェル（１）の外壁に接続され、前記第２のシェル（２）の底部の外壁は、前記固定シート（５）または配置テーブル（８）に当接されることを特徴とする請求項５に記載の環境に優しいタンブラーガチャ。
【請求項７】
複数の接続部品をさらに含み、前記玩具（４）の数は、複数であり、各前記玩具（４）は、いずれも前記接続部品を介して前記第１のシェル（１）の外壁に接続され、前記第２のシェル（２）の底部の外壁は、前記固定シート（５）または配置テーブル（８）に当接されることを特徴とする請求項５に記載の環境に優しいタンブラーガチャ。
【請求項８】
前記接続部品は、第２の接続部（７）と第３の接続部（１０）とを含み、各前記第３の接続部（１０）には、いずれも前記玩具（４）が配置され、各前記第２の接続部（７）の一端は、いずれも前記第３の接続部（１０）に接続され、各前記第２の接続部（７）の他端は、いずれも前記第１のシェル（１）の外壁に接続されることを特徴とする請求項７に記載の環境に優しいタンブラーガチャ。
【請求項９】
支持フレーム（９）と支持シート（１１）とをさらに含み、前記支持フレーム（９）は、両側対称構造であり、前記第３の接続部（１０）と背離される二つの前記第２の接続部（７）の一端は、それぞれ前記支持フレーム（９）の両側に接続され、前記支持フレーム（９）の底部は、前記支持シート（１１）に移動可能に接続され、前記支持シート（１１）は、前記第１のシェル（１）の外壁に接続されることを特徴とする請求項８に記載の環境に優しいタンブラーガチャ。
【請求項１０】
前記第１のシェル（１）と前記第２のシェル（２）とは、いずれも一つの開放面を有し、複数の前記玩具（４）は、それぞれ前記第１のシェル（１）と前記第２のシェル（２）との外壁に接続され、前記第１のシェル（１）と前記第２のシェル（２）とは、それぞれ前記開放面を介して配置テーブル（８）に当接されることを特徴とする請求項２に記載の環境に優しいタンブラーガチャ。
【考案の詳細な説明】
【技術分野】
【０００１】
本考案は、玩具技術分野に関し、具体的には、環境に優しいタンブラーガチャに関する。
【背景技術】
【０００２】
ガチャは、カプセルとも呼ばれ、プラスチックボールをシェルのパッケージとして使用され、小売店またはガチャ専用の自動販売機に置かれて売られる玩具の総称である。ガチャの体積は、小さく、開発と製造とのコストが安いため、通常の玩具よりも価格が安く、普及しやすい。また、デザインと開発との難易度が高くないため、様々なデザインのスタイルを低コストで大量に導入できるため、ガチャは、より強い収集性とコレクションとを有する。
【０００３】
ただし、従来のガチャのデザインには、多くの欠点があり、主に次の二つの点がある。
【０００４】
１．遊びやすさの弱さ
【０００５】
従来のガチャは、体積が小さく製造コストが低いため、デスクトップデコレーション、キーペンダント、ブローチなどの静的デコレーションの形をし、その本体は、基本的に動くことができず、プレイヤーとインタラクションとフィードバックを生み出すのは困難である。
【０００６】
２．環境親和性の悪い
【０００７】
ガチャのシェルは、回転可能に開くことができるプラスチック半球の二つの上部フラップと下部フラップとで構成され、二つの「卵シェル」は、内部の玩具に対して包みと保護との二つの目的を果たし、ブラインドボックスの紙のパッケージと比較して、プラスチックのシェルは、より優れた保護を提供することができる。しかし、プレイヤーが「卵のシェル」を開いた後、「卵のシェル」は、使用される価値がなく、捨てることしかできないため、これらの廃棄されたプラスチックの「卵のシェル」は、環境を汚染する。
【０００８】
これに基づいて、環境に優しいタンブラーガチャは、従来のガチャの遊びやすさと環境親和性とに対して改良し、「卵のシェル」は、もはや単なるパッケージだけではなく、玩具の一部である。
【考案の概要】
【考案が解決しようとする課題】
【０００９】
従って、本考案は、先行技術における上記問題を解決するための環境に優しいタンブラーガチャを提供する。
【課題を解決するための手段】
【００１０】
上記目的を達成するために、本考案は、以下の技術的解決策を提供する。
【００１１】
本考案の第１の態様によると、シェルと玩具とを含む環境に優しいタンブラーガチャを提供し、ウェイトモジュールをさらに含み、前記シェル内部には、空洞を有し、前記ウェイトモジュールは、前記シェルの空洞の底部に配置され、前記玩具の数は、少なくとも一つであり、前記玩具は、前記シェルの空洞内に取り外し可能に設置され、異なる前記玩具は、前記シェルに接続されて、前記シェルと様々な構造を組み合わせることができる。
【００１２】
さらに、前記シェルは、第１のシェルと第２のシェルとを含み、前記第１のシェルと前記第２のシェルとは、取り外し可能に接続される。
【００１３】
さらに、前記ウェイトモジュールは、前記第２のシェルの空洞の底部に配置される。
【００１４】
さらに、固定シートをさらに含み、前記固定シートは、円錐台の形状である。
【００１５】
さらに、前記固定シートの上部の底面には、一つの凹状の円弧面を備える。
【００１６】
さらに、第１の接続部をさらに含み、前記玩具は、前記第１の接続部を介して前記第１のシェルの外壁に接続され、前記第２のシェルの底部の外壁は、前記固定シートまたは配置テーブルに当接される。
【００１７】
さらに、複数の接続部品をさらに含み、前記玩具の数は、複数であり、各前記玩具は、いずれも前記接続部品を介して前記第１のシェルの外壁に接続され、前記第２のシェルの底部の外壁は、前記固定シートまたは配置テーブルに当接される。
【００１８】
さらに、前記接続部品は、第２の接続部と第３の接続部とを含み、各前記第３の接続部には、いずれも前記玩具が配置され、各前記第２の接続部の一端は、いずれも前記第３の接続部に接続され、各前記第２の接続部の他端は、いずれも前記第１のシェル外壁に接続される。
【００１９】
さらに、支持フレームと支持シートとをさらに含み、前記支持フレームは、両側対称構造であり、前記第３の接続部と背離される二つの前記第２の接続部の一端は、それぞれ前記支持フレームの両側に接続され、前記支持フレームの底部は、前記支持シートに移動可能に接続され、前記支持シートは、前記第１のシェルの外壁に接続される。
【００２０】
さらに、前記第１のシェルと前記第２のシェルとは、いずれも一つの開放面を有し、複数の前記玩具は、それぞれ前記第１のシェルと前記第２のシェルとの外壁に接続され、前記第１のシェルと前記第２のシェルとは、それぞれ前記開放面を介して配置テーブルに当接される。
【考案の効果】
【００２１】
本考案は、次の利点を有する。ウェイトモジュールを配置することにより、ウェイトモジュールは、シェルの空洞の底部に配置され、玩具の数は、少なくとも一つであり、玩具は、シェルの空洞内に取り外し可能に設置され、異なる玩具は、シェルに接続されて、シェルと様々な構造を組み合わせることができ、遊びやすさが比較的に高く、様々な組み合わせの形式を有し、組み合わせてタンブラーのイメージを構成することができ、プレイヤーとより良いインタラクションを生み出すことができ、シェルは、玩具と結合されて使用されることができ、資源の浪費を引き起こさず、より環境に優しい。
【図面の簡単な説明】
【００２２】
【図１】本考案のいくつかの実施例によって提供される環境に優しいタンブラーガチャの第１の実施例の内部構造の模式図である。
【図２】本考案のいくつかの実施例によって提供される環境に優しいタンブラーガチャの第２の実施例の内部構造の模式図である。
【図３】本考案のいくつかの実施例によって提供される環境に優しいタンブラーガチャの第３の実施例の内部構造の模式図である。
【図４】本考案のいくつかの実施例によって提供される環境に優しいタンブラーガチャの第４の実施例の内部構造の模式図である。
【図５】本考案のいくつかの実施例によって提供される環境に優しいタンブラーガチャの第１の実施例の組立効果図である。
【図６】本考案のいくつかの実施例によって提供される環境に優しいタンブラーガチャの第１の実施例の別の使用効果図である。
【図７】本考案のいくつかの実施例によって提供される環境に優しいタンブラーガチャの第２の実施例の使用効果図である。
【図８】本考案のいくつかの実施例によって提供される環境に優しいタンブラーガチャの第３の実施例の組立効果図である。
【図９】本考案のいくつかの実施例によって提供される環境に優しいタンブラーガチャの第４の実施例の組立効果図である。
【図１０】本考案のいくつかの実施例によって提供される環境に優しいタンブラーガチャの第４の実施例の別の組立効果図である。
【図１１】本考案のいくつかの実施例によって提供される環境に優しいタンブラーガチャの第４の実施例の使用効果図である。
【考案を実施するための形態】
【００２３】
以下、本考案の実施形態または先行技術における技術的解決策をより明確に説明するために、実施形態または先行技術の説明において使用される必要がある図面を簡単に紹介する。明らかに、以下の説明の図面は単なる例示であり、当業者にとって、創造的な作業なしに、他の実装図面は、提供された図面から導入することができる。
【００２４】
本明細書に記載される構造、比率、サイズなどは、それぞれ本技術に精通する方が理解および閲覧することができるように、本明細書に記載される内容と一致させるためにのみ使用されており、本考案の実施に限定される条件を限定するものではないため、技術的な意味を有さなく、本考案によって達成できる効果と目的とに影響を与えることなく、任意の構造の変更、比率寒けの変更、またはサイズの調整は、それぞれ本考案によって開示される技術的内容の範囲内に属するべきである。
【００２５】
以下、特定の具体的な実施例により本考案の実施形態を説明し、この技術を精通する人は、本明細書により開示される内容から、本考案の他の利点および効果を簡単に理解することができ、明らかに、説明される実施例は、すべての実施例ではなく、本考案の一部の実施例である。本考案の実施例に基づいて、創造的な作業なしに当業者によって得られた他のすべての実施例は、本考案の保護範囲に含まれる。
【００２６】
図１から図１１に示されるように、本考案の第１の態様の実施例における環境に優しいタンブラーガチャは、シェルと玩具４とを含み、ウェイトモジュール３をさらに含み、シェル内部には、空洞を有し、ウェイトモジュール３は、シェルの空洞の底部に配置され、玩具４の数は、少なくとも一つであり、玩具４は、シェルの空洞内に取り外し可能に設置され、異なる玩具４は、シェルに接続されて、シェルと様々な構造を組み合わせることができる。
【００２７】
前記実施例において、シェルは、球形、楕円形、カプセル形状、卵形等の様々な形状であり得え、シェルの形は、デザインのテーマに依存し、例えば、惑星のテーマは、球形のシェルを選択し、鶏に関連するテーマは、卵形のシェルを選択し、シェルの外部には、対応するテーマパターンを配置することができ、シェルの外壁には、スロットが備えられ、スロットは、玩具４の設置と固定とに使用されることに留意されたい。
【００２８】
前記実施例によって達成される技術的効果は、次のとおりである。ウェイトモジュール３を配置することにより、ウェイトモジュール３は、シェルの空洞の底部に配置され、玩具４の数は、少なくとも一つであり、異なる玩具４は、シェルに接続されて、シェルと様々な構造を組み合わせることができ、遊びやすさが比較的に高く、様々な組み合わせの形式を有し、組み合わせてタンブラーのイメージを構成することができ、プレイヤーとより良いインタラクションを生み出すことができ、シェルは、玩具と結合されて使用されることができ、資源の浪費を引き起こさず、より環境に優しく、シェルは、球形、楕円形、カプセル形状、卵形等の様々なテーマのデザインに適した様々な形状に設定することができ、様々な製品タイプに製造することができる。
【００２９】
選択的に、図１から図１１に示されるように、いくつかの実施例において、シェルは、第１のシェル１と第２のシェル２とを含み、第１のシェル１と第２のシェル２とは、取り外し可能に接続される。
【００３０】
前記選択可能な実施例において、第１のシェル１と第２のシェル２とは、クランプ接続、プラグ接続またはねじ接続の方式によって接続されることに留意されたい。
【００３１】
前記選択可能な実施例の有益な効果は、以下のようである。第１のシェル１と第２のシェル２とは、取り外し可能に接続され、シェルを便利かつ迅速に開くまたは閉じることにより、シェル内の玩具を取り出し、および玩具をシェル内部に収納することができる。
【００３２】
選択的に、図１から図１１に示されるように、いくつかの実施例において、ウェイトモジュール３は、第２のシェル２の空洞の底部に配置される。
【００３３】
前記選択可能な実施例において、ウェイトモジュール３は、一体的に形成された構造であり、ウェイトモジュール３は、金属または他の密度がより高い材料を使用して製造され、ウェイトモジュール３は、クランプ接続または結合接続の方式によって第２のシェル２の空洞の底部に接続されることに留意されたい。
【００３４】
前記選択可能な実施例の有益な効果は、以下のようである。ウェイトモジュール３は、第２のシェル２の空洞の底部に配置されて、良好な安定化効果を発揮することができ、ウェイトモジュール３は、一体的に形成された構造であり、ウェイトモジュール３は、金属または他の密度がより高い材料を使用して製造されて、製造および加工は、便利であり、安定性がよりよく、ウェイトモジュール３は、クランプ接続または結合接続の方式によって第２のシェル２の空洞の底部に接続されて、製造および加工は、便利である。
【００３５】
選択的に、図１から図３、図５および図８に示されるように、いくつかの実施例において、固定シート５をさらに含み、固定シート５は、円錐台の形状である。
【００３６】
前記選択可能な実施例において、固定シート５の上部の底面には、一つの凹状の円弧面を備えることに留意されたい。
【００３７】
前記選択可能な実施例の有益な効果は、以下のようである。固定シート５を介して、固定シート５の上部の底面には、一つの凹状の円弧面を備え、構造は、簡単であり、製造および加工は、便利であり、シェルを便利かつ迅速に固定および配置することができる。
【００３８】
選択的に、図１から図１１に示されるように、いくつかの実施例において、第１の接続部６をさらに含み、玩具４は、第１の接続部６を介して第１のシェル１の外壁に接続され、第２のシェル２の底部の外壁は、固定シート５または配置テーブル８に当接される。
【００３９】
前記選択可能な実施例において、第１の接続部６は、玩具４と一体的に形成されるか、または第１の接続部６は、玩具４に取り外し可能に設置され、玩具４は、第１の接続部６を介して、プラグ接続の方式によって第１のシェル１の外壁に接続され、第２のシェル２の底部の外壁が固定シート５に当接される場合、固定配置状態であり、振り子として配置することができ、第２のシェル２の底部の外壁が配置テーブル８に当接される場合、タンブラー状態であり、手でシェルを押すと、ガチャ全体がタンブラーのように振り回され、プレイヤーとインタラクションすることができることに留意されたい。
【００４０】
さらに、図２および図７に示されるように、いくつかの実施例において、ある玩具４は、振り子として単独的に使用することができ、この場合、第１の接続部６は、玩具４に取り外し可能に設置され、玩具４は、第１の接続部６を介してプラグ接続の方式で第１のシェル１の外壁に接続され、玩具４を単独的に配置する場合、第１の接続部６のみを玩具４から分離だけでよい。
【００４１】
前記選択可能な実施例の有益な効果は、以下のようである。第１の接続部６を配置することにより、玩具４は、第１の接続部６を介してプラグ接続の方式で第１のシェル１の外壁に接続され、組み立てが便利であり、シェルは、玩具の一部として使用されることができ、材料を充分に利用することができ、より環境に優しく、タンブラーというこのような中国文化に由来する伝統的な玩具を、現代の若者により受け入れやすいガチャ玩具に結合することで、生み出せた本考案の環境に優しいタンブラーガチャの玩具は、エンターテインメント製品のデザインの新しいアイデアを開くだけでなく、環境保護および中国の伝統的な文化の普及のために広い想像空間をさらに提供する。
【００４２】
選択的に、図３、図４および図８から図１１に示されるように、いくつかの実施例において、複数の接続部品をさらに含み、玩具４の数は、複数であり、各玩具４は、いずれも接続部品を介して第１のシェル１の外壁に接続され、第２のシェル２の底部の外壁は、固定シート５または配置テーブル８に当接される。
【００４３】
前記選択可能な実施例において、各玩具４は、いずれも接続部品を介してプラグ接続の方式で第１のシェル１の外壁に接続されることに留意されたい。
【００４４】
前記選択可能な実施例の有益な効果は、以下のようである。玩具４の数は、複数であり、各玩具４は、いずれも接続部品を介して第１のシェル１の外壁に接続され、様々な組み合わせの形式を有し、遊び方がたくさんあり、様々なシーンを作ることができ、興味性がより高い。
【００４５】
選択的に、図３、図１０および図１１に示されるように、いくつかの実施例において、接続部品は、第２の接続部７と第３の接続部１０とを含み、各第３の接続部１０には、いずれも玩具４が配置され、各第２の接続部７の一端は、いずれも第３の接続部１０に接続され、各第２の接続部７の他端は、いずれも第１のシェル１の外壁に接続される。
【００４６】
前記選択可能な実施例において、第２の接続部７は、円筒形であることに留意されたい。
【００４７】
前記選択可能な実施例の有益な効果は、以下のようである。接続部品は、第２の接続部７と第３の接続部１０とを含み、各第３の接続部１０には、いずれも玩具４が配置されて、より多くの組み合わせ操作を有し、興味性がより高い。
【００４８】
選択的に、図３、図１０および図１１に示されるように、いくつかの実施例において、支持フレーム９と支持シート１１とを含み、支持フレーム９は、両側対称構造であり、第３の接続部１０と背離される二つの第２の接続部７の一端は、それぞれ支持フレーム９の両側に接続され、支持フレーム９の底部は、支持シート１１に移動可能に接続され、支持シート１１は、第１のシェル１の外壁に接続される。
【００４９】
前記選択可能な実施例において、支持フレーム９の両側に接続された第２の接続部９は、対称的に分布され、支持フレームの両側に接続された玩具および接続部品の重量は、同じであり、支持フレーム９は、垂直状態下で支持シート１１上のバランスを維持することができることに留意されたい。
【００５０】
前記選択可能な実施例の有益な効果は、以下のようである。プレイヤーがより多くの組み立て操作を実行する必要があるため、一定の挑戦性を有し、興味性がより高い。
【００５１】
選択的に、図９に示されるように、いくつかの実施例において、第１のシェル１と第２のシェル２とは、いずれも一つの開放面を有し、複数の玩具４は、それぞれ第１のシェル１と第２のシェル２との外壁に接続され、第１のシェル１と第２のシェル２とは、それぞれ開放面を介して配置テーブル８に当接される。
【００５２】
前記選択可能な実施例の有益な効果は、以下のようである。第１のシェル１と第２のシェル２とは、それぞれベースとして使用され、全体的な構造は簡単であり、材料を十分に利用されて、浪費を回避し、より環境に優しい。
【００５３】
上記で一般的な説明および具体的な実施例を使用して、本考案に対して詳細に説明したが、当業者は、本考案に基づいて、いくつかの修正または改善することができることは明らかである。従って、本考案の精神から逸脱することなく行われたこれらの修正または改善は、それぞれ本考案の保護範囲に属する。
【００５４】
本明細書で引用される「上」、「下」、「左」、「右」および「中間」などの用語は、説明を容易にするためだけのものであり、本考案の実施範囲を限定するものではなく、その相対関係の変更または調整は、実質的な技術的内容を実質的に変更することなく実施できる本考案の範囲と見なされるべきである。
【符号の説明】
【００５５】
１：第１のシェル
２：第２のシェル
３：ウェイトモジュール
４：玩具
５：固定シート
６：第１の接続部
７：第２の接続部
８：配置テーブル
９：支持フレーム
１０：第３の接続部
１１：支持シート
【図１】
0003232499.tif 000003
【図２】
0003232499.tif 000004
【図３】
0003232499.tif 000005
【図４】
0003232499.tif 000006
【図５】
0003232499.tif 000007
【図６】
0003232499.tif 000008
【図７】
0003232499.tif 000009
【図８】
0003232499.tif 000010
【図９】
0003232499.tif 000011
【図１０】
0003232499.tif 000012
【図１１】
0003232499.tif 000013